(57)【要約】【課題】        本発明は狭い敷地の除雪時に、道路に排雪し交通障害の発生、河川に投入した雪は、河川を堰き止め宅地等に浸水する事がある、また、隣接地に雪が入って隣地所有者とのトラブルが起きる等の、雪害をなくすにある。【解決手段】      融雪槽に水又は雪を投入し、灯油バーナーでカマ部に炎を吹き込んで、水又は雪を加熱し温水にして融雪をする融雪機において、融雪槽に設置するカマ部の中心付近に筒状の間仕切り部を設けて、ドーナツ型にカマ部を構成し、火炎をカマ内部で旋回させると同時に、カマ部の内側と外側の水を循環させる事が出来るように構成されていて、カマ内部を循環したバーナーの煙を排出する煙突部と、融雪した水を排水する排水部、そして融雪部を架設する車輪付きのシャシーとを備えた事を特徴とする可搬式融雪機。小型で歩行や、駐車の邪魔にならない場所に、移動し設置できる融雪機により、邪魔な雪を融かし水として流し、邪魔な雪を消し去る事により課題を解決する。【選択図】図１
2018119388.tif 000002
【特許請求の範囲】
【請求項１】
融雪槽に水又は雪を投入し、灯油バーナーでカマ部に炎を吹き込んで、水又は雪を加熱し温水にして融雪をする融雪機において、融雪槽に設置するカマ部の中心付近に筒状の間仕切り部を設けて、ドーナツ型にカマ部を構成し、火炎をカマ内部で旋回させると同時に、カマ部の内側と外側の水を循環させる事が出来るように構成されていて、カマ内部を循環したバーナーの煙を排出する煙突部と、融雪した水を排水する排水部、そして融雪部を架設する車輪付きのシャシーとを備えた事を特徴とする可搬式融雪機。
【請求項２】
前記、煙突部に排熱回収板を煙突上部に設け、排熱回収板の内に取り付けた邪魔板を有する事を特徴とする請求項１の可搬式融雪機。
【請求項３】
前記、煙突上部に取り付けた排熱回収板の上部に、煙の流路を上向きから下向きに１８０度変える、煙返しを装着し、排熱を前記融雪槽に戻す事を特徴とする、請求項２の可搬式融雪機。
【請求項４】
前記シャシーには３個の車輪を取り付け、２個の固定車輪と１個の自在車輪で構成し、移動のための取手を取り付けた事を、特徴とする請求項１記載の可搬式融雪機。
【発明の詳細な説明】
【技術の分野】
【０００１】  本発明は、積雪地に於いて、雪を加熱された温水に浸漬することにより、効率よく溶かせる融雪機に関するものである。
【背景技術】
【０００２】  北海道と青森県のような豪雪地帯では、融雪機を販売しているが、どれも豪雪地帯向けのため、構造が複雑で高価である。
上記以外の積雪地域での融雪方法は、自然の地熱・湧水など自然の熱を利用した埋め込み式の融雪層が主流である。
従来の融雪機の一例としてバーナーで加熱した温水を加圧して、雪の上にシャワーして融かすようにした物がある、この方式では溶けて下部水槽に貯まった水の異物を除去し、再加熱してポンプで加圧しシャワーし融雪する。
他の例としては、バーナーの炎を穴の開いた鉄板に当て加熱し、この鉄板に雪を載せて雪を溶かす方式の融雪機がある。
【先行技術文献】
【特許文献】
【０００３】
【特許文献１】特開２００３−２３９２３７
【発明の概要】
【発明が解決しようとする課題】
【０００４】  北海道・青森県以外における従来の融雪      ▲１▼湧き水を利用した池に雪を投入
▲２▼河川に投入
既成品の融雪機      北海道・青森県では販売しているが、どれも豪雪地帯向けであり                    、降雪等の自然条件が大きく違う、その他の地域での汎用には不向                    きである、また大出力のバーナーの直火が外に出る構造のため、燃                    焼音が騒音として住宅地での使用で問題になっている。【０００５】  本発明は、このような従来の構成が有していた問題を解決しようとするものであり、豪雪地帯以外の地域の積雪量に似合った構造の融雪機を、実現することを目的とするものである、また問題になっているバーナーの燃焼音を小さくして住宅地で使えるようにする。
【課題を解決するための手段】
【０００６】そして、本発明は上記目的を達成するために、カマ部の中心付近に筒状の間仕切りを設け、ドーナツ型にしたカマ部を融雪槽に設けたものであり、煙突上部に邪魔板付き熱回収板を付け、熱回収板のうえに煙返しを設ける事により、騒音を小さくできる。
また、豪雪地以外の地域の課題解決手段は、排熱を有効に利用し融雪効果を得る。
煙を少なくするカマ部の構造とし、排熱による火傷、火災の危険を避け、融雪効果を上げる排煙熱回収部を取り付ける。【０００７】  上記第１の課題解決手段による作用は次の通りである。すなわち、融雪槽に設置するカマ部の全ての面が水と接するようにする事でより多くの熱を融雪槽内の水または雪に伝える。更に、カマ中心付近に筒状の間仕切りを設けドーナツ型にする事で火炎がカマ内部で旋回すると同時に、ドーナツ型の内側と外側の水が循環する為、熱効率及び熱伝導を上げる事ができる。【０００８】  また、第２の課題解決手段による作用は、バーナーで加熱し温水にした余熱、排熱を有効に使用するため排熱回収板を取り付ける。
【発明の効果】
【０００９】  上述したように本発明の可搬型融雪槽付き融雪機は、熱効率及び熱伝導を良くする事により灯油の消費量が減り、その分灯油タンクの小型化が可能になり全体のサイズ縮小化に繋がって狭小地でも使用することができるようになる。その為、年間を通して２〜３回程度の大雪に対しても気負いなく準備をできるようになり、今まで除雪という概念しかなかった豪雪地帯以外の地域の雪害対策に、新たに融雪という選択肢を投じる事ができる。【００１０】  また、煙を少なくするカマの構造とし、排熱による火傷、火災の危険を避け、融雪効果を上げる排熱回収部に、排熱の熱風を煙返しで雪に当てる事により、融雪速度を上げるとともに、バーナーから出る騒音を低減出来る。
市街地等狭い敷地で除雪した雪を積み上げて置く場所の確保できない家庭、事業所で使用する事により雪の排除を川や道路に出す雪害を防ぐ事が出来る。
災害時の湯沸かし器として利用できる
バン型乗用車で運搬できる。
【図面の簡単な説明】
【００１１】
【図１】  本発明の実施形態を示す可搬型融雪槽付き融雪機の斜視図
【図２】  同可搬型融雪槽付き融雪機の平面図
【図３】  同可搬型融雪槽付き融雪機の断面図
【発明を実施するための形態】
【００１２】  本発明に係る融雪機を図１〜図３により説明する。
【００１３】図において、１は雪を溶かすための温水を蓄え、雪を投入し溶かす融雪槽であり、内部に２のカマ部を設置し、７のバーナーの火炎をカマ部に吹き入れ温水を作る。
【００１４】３の排煙熱回収部は、カマ部に取り付けた煙突１０よりでる、煙の排熱を回収するための構造であり、雪はこの部分にあたり排煙熱を奪いながら溶ける。
【００１５】４の煙返しは、３の排煙熱回収部を通ってもなお残る排煙熱を、１の融雪槽内にある雪または水にぶつけ融雪効果を上げる。
【００１６】５の排水口は融雪槽で溶かした雪の、水と成ったものを排出する。
【００１７】６の車輪は１２のシャーシーに取り付け、シャーシーに架設された融雪槽その他の装置を移動することが出来るように設けた。
【００１８】７は灯油バーナーで、８の灯油タンクより灯油の供給を受けて燃焼し、２のカマ部に火炎を吹き込み温水の熱源となる。
【００１９】９の移動用取手は、シャーシーに取り付けた、８の灯油タンクの架台の枠の一部を上に伸ばし設置した、移動時の操作を容易にする。
【００２０】動作順序の説明をする、１の融雪槽に水を入れ、７の灯油バーナーに点火し、水中に沈めてあるカマ部に火炎を吹き込み温水を作る。このカマ部には筒状の間仕切りが設けてあり内部で火炎が旋回することにより油煙となる未燃焼灯油をなくし煤の出をほとんど止めることが出来たのと、温水の循環が効率よく行われ雪をよく溶かすことが出来る。
カマ部２に取り付けた煙突を火炎旋回の後尾に付けたことにより、灯油バーナーで発生した熱がより多く水に伝わるようになった。煙突から出た排熱は４の排煙熱回収部の中を流れ、煙返しを最上部に付けることにより上に上がってきた煙を１８０度向きを変えて下方に噴き出すようにし、融雪槽内にある雪又は水に当てて熱回収する。また煙の通り道を複雑にすることにより、バーナーの燃焼音を小さくすることが出来た。
【符号の説明】
【００２１】１  融雪槽
２  カマ部
３  煙道
４  排煙熱回収部
５  排水口
６  車輪
７  灯油バーナー
８  灯油タンク
９  移動用取手
１０  煙突
１１  火室
１２  シャーシー
【図１】
2018119388.tif 000003
【図２】
2018119388.tif 000004
【図３】
2018119388.tif 000005